(57)【特許請求の範囲】
【請求項１】
嵌合凹部を有するメスコネクタハウジングと、前記嵌合凹部の内部に嵌合されるオスコネクタハウジングと、前記メスコネクタハウジング及びオスコネクタハウジングのいずれか一方に弾性撓み可能に設けられたロックアームと、該ロックアーム上に形成され、ロックアームの弾性撓みに伴って揺動軌跡を描きながら変位可能なロック部と、前記メスコネクタハウジング及びオスコネクタハウジングのいずれか他方に設けられ、前記メスコネクタハウジングとオスコネクタハウジングが嵌合したとき、前記ロックアームに設けられたロック部と係合することで前記メスコネクタハウジングとオスコネクタハウジングを嵌合状態に保持する係合部と、を備えたコネクタであって、
前記メスコネクタハウジングの嵌合凹部の奥壁に、前記メスコネクタハウジングと一体に成形され、該メスコネクタハウジングとオスコネクタハウジングが嵌合して前記ロック部と係合部が係合したとき、前記オスコネクタハウジングに押されて撓み変形し、撓み変形により発生する弾性反力によって前記ロック部と前記係合部との係合隙間を詰めるバネ片が設けられると共に、
前記嵌合凹部の奥壁に、前記バネ片を成形するために開口し、且つ、前記バネ片が前記オスコネクタハウジングに押されて撓み変形したとき該バネ片によって塞がれる開口部が設けられていることを特徴とするコネクタ。
【発明の詳細な説明】
【技術分野】
【０００１】
本発明は、嵌合時のロックアームのガタを無くすことのできるコネクタに関するものである。
【背景技術】
【０００２】
従来より、フード状の嵌合凹部を有するメスコネクタハウジングと、嵌合凹部の内部に嵌合されるオスコネクタハウジングとを備えたコネクタが知られている。この種のコネクタにおいては、メスオス両コネクタハウジングのうちいずれか一方に、その嵌合状態を保持するためのロックアームが設けられている。このロックアームは、通常、片持ち状をなし弾性撓み可能に形成されているため、ロックアームの先端部に設けられたロック部が、ロックアームの弾性撓みに伴って揺動軌跡を描きながら変位する。このため、ロックアームを弾性的に撓ませつつメスオス両コネクタハウジングを嵌合させると、他方のコネクタハウジングの係合部にロックアームのロック部が係合することで、メスオス両コネクタハウジングが嵌合状態に保持される。
【０００３】
しかしながら、ロック部が揺動軌跡を描きながら変位する構成であるため、正規嵌合に至ったときにロック部と係合部との間に係合隙間が形成されてしまい、この隙間があることにより、微小ガタ付きが発生する可能性がある。また、メスコネクタハウジング側の端子とオスコネクタハウジング側の端子の接触点間に端子同士の微小摺動による摩耗が発生する問題もある。
【０００４】
そこで、メスオス両コネクタハウジングの嵌合時に、ロック部と係合部との間の係合隙間を詰める方向に付勢するバネを備えたコネクタが提案されている。
【０００５】
例えば、特許文献１に記載のコネクタは、図６に示すように、嵌合凹部１１９を有するメスコネクタハウジング１１０と、嵌合凹部１１９の内部に嵌合されるオスコネクタ１３０のハウジング１３１と、このオスコネクタハウジング１３１に弾性撓み可能に設けられたロックアーム１３９と、ロックアーム１３９上に形成され、ロックアーム１３９の弾性撓みに伴って揺動軌跡を描きながら変位可能なロック部１３８と、メスコネクタハウジング１１０に設けられ、メスコネクタハウジング１１０とオスコネクタハウジング１３１が嵌合したとき、ロックアーム１３９に設けられたロック部１３８と係合することでメスコネクタハウジング１１０とオスコネクタハウジング１３１を嵌合状態に保持する係合部１１８と、メスコネクタハウジング１１０の奥壁に設けられたバネ片１１５と、このバネ片１１５を形成するのに利用された開口部１１４と、を備えている。
【０００６】
このコネクタでは、メスコネクタハウジング１１０とオスコネクタハウジング１３１を嵌合させると、オスコネクタハウジング１３１に押されてバネ片１１５が撓み、その弾性反力によりオスコネクタハウジング１３１が矢印Ｃ方向に付勢され、それによりロック部１３８と係合部１１８の係合隙間が詰められてガタ付きが防止される。
【先行技術文献】
【特許文献】
【０００７】
【特許文献１】特開２００９−１４６６０３号公報
【発明の概要】
【発明が解決しようとする課題】
【０００８】
ところで、前記特許文献１に記載のコネクタでは、嵌合凹部１１９の奥壁に、バネ片１１５を形成するための開口部１１４を設けているが、この開口部１１４がコネクタ嵌合状態においても塞がれることがないため、メスコネクタハウジング１１０やオスコネクタハウジング１３１の内部に埃やゴミとの異物が入り込みやすく、接点不良を起こす可能性があった。
【０００９】
本発明は、上記事情を考慮し、バネ片によりコネクタ嵌合時のガタ付き防止を図りながら、ハウジング内への異物の侵入を防ぐことができて接点不良を起こす可能性を無くすことのできるコネクタを提供することを目的とする。
【課題を解決するための手段】
【００１０】
上記課題を解決するために、請求項１の発明は、嵌合凹部を有するメスコネクタハウジングと、前記嵌合凹部の内部に嵌合されるオスコネクタハウジングと、前記メスコネクタハウジング及びオスコネクタハウジングのいずれか一方に弾性撓み可能に設けられたロックアームと、該ロックアーム上に形成され、ロックアームの弾性撓みに伴って揺動軌跡を描きながら変位可能なロック部と、前記メスコネクタハウジング及びオスコネクタハウジングのいずれか他方に設けられ、前記メスコネクタハウジングとオスコネクタハウジングが嵌合したとき、前記ロックアームに設けられたロック部と係合することで前記メスコネクタハウジングとオスコネクタハウジングを嵌合状態に保持する係合部と、を備えたコネクタであって、前記メスコネクタハウジングの嵌合凹部の奥壁に、前記メスコネクタハウジングと一体に成形され、該メスコネクタハウジングとオスコネクタハウジングが嵌合して前記ロック部と係合部が係合したとき、前記オスコネクタハウジングに押されて撓み変形し、撓み変形により発生する弾性反力によって前記ロック部と前記係合部との係合隙間を詰めるバネ片が設けられると共に、前記嵌合凹部の奥壁に、前記バネ片を成形するために開口し、且つ、前記バネ片が前記オスコネクタハウジングに押されて撓み変形したとき該バネ片によって塞がれる開口部が設けられていることを特徴とする。
【発明の効果】
【００１１】
請求項１の発明によれば、オスメス両コネクタハウジングの嵌合時のガタ付き防止機能を発揮するバネ片が撓み変形したとき、バネ片を形成するために利用した開口部をバネ片によって塞ぐことができるので、この開口部を通してのハウジング内への異物の侵入を防ぐことができる。従って、異物の侵入による接触不良の発生を防止しながら、同時に、ガタ付きによる接点摩耗の防止を図ることができる。
【図面の簡単な説明】
【００１２】
【図１】本発明の実施形態のコネクタの嵌合前の状態を示す斜視図である。
【図２】同コネクタのメスコネクタハウジングの水平断面図である。
【図３】同メスコネクタハウジングにオスコネクタハウジングを嵌合した状態を示す水平断面図である。
【図４】前記オスコネクタハウジングに設けたロックアームのロック部とメスコネクタハウジングに設けたロック部との係合状態を示す要部の断面図である。
【図５】図３のＡ−Ａ矢視断面図である。
【図６】従来のコネクタの側断面図である。
【発明を実施するための形態】
【００１３】
以下、本発明の実施形態を図面を参照して説明する。
【００１４】
図１は実施形態のコネクタの嵌合前の状態を示す斜視図、図２は同コネクタのメスコネクタハウジングの水平断面図、図３は同メスコネクタハウジングにオスコネクタハウジングを嵌合した状態を示す水平断面図、図４はオスコネクタハウジングに設けたロックアームのロック部とメスコネクタハウジングに設けたロック部との係合状態を示す要部の断面図、図５は図３のＡ−Ａ矢視断面図である。
【００１５】
このコネクタは、メスコネクタ１０とオスコネクタ３０の組み合わせからなる。メスコネクタ１０は、前面開口の嵌合凹部１９を有する樹脂成形品製のメスコネクタハウジング１１に、ピン状の第１端子２０を一体に組み付けた構造のものである。また、オスコネクタ３０は、メスコネクタハウジング１１の嵌合凹部１９の内部に嵌合される樹脂成形品製のオスコネクタハウジング３１に、第２端子４０を組み付けたものである。
【００１６】
メスコネクタハウジング１１は、上壁１６と、下壁１７と、左右の側壁１２と、後壁１３とを有した正面視矩形状のもので、後壁１３が嵌合凹部１９の奥壁１３ａとなっている。ピン状の第１端子２０は、該端子２０を金型にセットしてメスコネクタハウジング１１をインサート成形することで、メスコネクタハウジング１１に一体的に設けられている。この第１端子２０は、への字状のバネ部２１を有しており、メスコネクタハウジング１１とオスコネクタハウジング３１を嵌合した際に、このバネ部２１が、オスコネクタハウジング３１の挿入溝３５を通してオスコネクタハウジング３１内部の第２端子４０に押圧して、両端子２０、４０が接触導通するようになっている。
【００１７】
また、オスコネクタハウジング３１は、中央の板状ハウジング３１Ａの上面と下面に上下の板状ハウジング３１Ｂ、３１Ｃを重ね合わせてロックすることにより構成されており、第２端子４０は、中央の板状ハウジング３１Ａと上下の板状ハウジング３１Ｂ、３１Ｃの合わせ面に形成されたキャビティに収容されている。
【００１８】
このオスコネクタハウジング３１の上側ハウジング３１Ｂの上面には、前端３９ａが固定端とされ後端３９ｂが自由端とされた片持式のロックアーム３９が、上下方向に弾性撓み可能に設けられており、このロックアーム３９上には、ロックアーム３９の弾性撓みに伴って揺動軌跡を描きながら変位可能なロック部３８が設けられている。また、メスコネクタハウジング１１の上壁１６には、メスコネクタハウジング１１とオスコネクタハウジング３１を嵌合させたとき、ロックアーム３９に設けられたロック部３８と係合することで、メスコネクタハウジング１１とオスコネクタハウジング３１を嵌合状態に保持する係合部１８が設けられている。
【００１９】
また、メスコネクタハウジング１１の嵌合凹部１９の奥壁１３ａには、メスコネクタハウジング１１と一体に成形され、メスコネクタハウジング１１とオスコネクタハウジング３１が嵌合してロック部３８と係合部１８が係合したとき、オスコネクタハウジング３１に押されて撓み変形し、撓み変形により発生する弾性反力によってロック部３８と係合部１８との係合隙間を詰めるバネ片１５が設けられると共に、バネ片１５を成形するために開口し、且つ、バネ片１５がオスコネクタハウジング３１に押されて撓み変形したとき、バネ片１５によって塞がれる開口部１４が設けられている。この場合、バネ片１５は、一端１５ａが開口部１４の縁部に固定され、他端１５ｂが自由端とされたものであり、一端１５ａと他端１５ｂの間に形成された凸湾曲部の頂部１５ｃが、奥壁１３ａよりも前側に突出するように設けられている。
【００２０】
このように構成されたメスコネクタ１０とオスコネクタ３０を嵌合させると、図３及び図５に示すように、オスコネクタハウジング３１がメスコネクタハウジング１１の嵌合凹部１９の内部に進入し、メスコネクタ１０側の第１端子２０とオスコネクタ３０側の第２端子４０が接触導通する。同時に、ロックアーム３９のロック部３８がメスコネクタハウジング１１の係合部１８に係合し、メスコネクタハウジング１１とオスコネクタハウジング３１が嵌合状態を維持するようにロックされる。
【００２１】
この嵌合の際、嵌合終期においてオスコネクタハウジング３１の前端がバネ片１５を押圧する。バネ片１５が押圧されて撓み変形すると、弾性反力を発生し、その弾性反力によってオスコネクタハウジング３１を矢印Ｃ方向に付勢する。従ってその付勢力によって、ロック部３８と係合部１８との係合隙間が詰められ、ガタ付きが防止される。
【００２２】
また、このとき、バネ片１５が撓み変形することにより開口部１４を塞ぐので、この開口部１４を通してのハウジング１１、３１内への異物の侵入を防ぐことができる。従って、異物の侵入による端子２０、４０の接触不良の発生を防止しながら、同時に、ガタ付きによる端子２０、４０の接点摩耗の防止を図ることができる。
【符号の説明】
【００２３】
１１  メスコネクタハウジング
１３ａ  奥壁
１８  ロック部
１４  開口部
１５  バネ片
１９  嵌合凹部
３１  オスコネクタハウジング
３８  ロック部
３９  ロックアーム
【図１】
0005406746.tif 000002
【図２】
0005406746.tif 000003
【図３】
0005406746.tif 000004
【図４】
0005406746.tif 000005
【図５】
0005406746.tif 000006
【図６】
0005406746.tif 000007